(57)【特許請求の範囲】
【請求項１】
防水部から流出する雨水等を排水孔に誘導排出するため防水部に隣接形成される側溝構造であって、勾配部と、この勾配部上に設置される側溝本体部と、前記側溝本体部の両側端に形成される一対の折曲・湾曲自在な立ち上がり部とを具えてなり、
前記勾配部は所定の勾配を有する単位勾配部材を連設して形成するとともに、前記側溝本体部は基部とその両端に形成される壁部を有する側溝部材を１または２以上前記勾配部上に連結載置し、前記一対の折曲・湾曲自在な立ち上がり部は前記側溝部材の両側端に付設される柔軟性を有する樹脂シ−トにより構成したことを特徴とする防水部における側溝構造。
【請求項２】
請求項１において、前記単位勾配部材は発泡樹脂材により、前記側溝部材は塩化ビニ−ル被覆鋼板により、また前記折曲・湾曲自在な立ち上がり部は塩化ビニ−ルシ−トによりそれぞれ構成するとともに、前記一対の折曲・湾曲自在な立ち上がり部は、一体に形成されて前記側溝部材の底部表面を被覆するようにしたことを特徴とする防水部における側溝構造。
【請求項３】
防水部から流出する雨水等を排水孔に誘導排出するため防水部に隣接形成される側溝構造に用いる側溝部材であって、基部と、その両端に形成される一対の折曲・湾曲自在な立ち上がり部とを具え、前記基部はその両端に形成される壁部を有し、前記一対の折曲・湾曲自在な立ち上がり部は前記壁部にそれぞれ付設したことを特徴とする側溝部材。
【請求項４】
請求項３において、前記基部は塩化ビニ−ル被覆鋼板で構成し、前記折曲・湾曲自在な立ち上がり部は一体に形成して柔軟性を有する樹脂シ−トで構成するとともに、基部の前記底部表面を被覆するようにしたことを特徴とする側溝部材。
【発明の詳細な説明】
【０００１】
【産業上の利用分野】
この発明は、防水部、特に一戸建て住宅等のベランダ、バルコニ−等の防水層部に隣接して形成され、防水層部から流出する雨水等を排水孔に誘導排出するための側溝構造とこれに用いられる側溝部材に関するものである。
【０００２】
【従来の技術】
ベランダ、バルコニ−等の下部空間を有効に利用するため居室その他を形成する場合、降雨等の対策として防水処理が必要となる。そして、この防水面を流れる雨水等は排水孔に集中させて外部に排出することになる。
ところで、排水孔への水の流出は、防水部面に若干の勾配を形成し、この傾斜を利用して行なえば良いが、防水部面を流れる水をすべて排水孔に集中させるような勾配を形成するには複雑な傾斜処理が必要であり、施工も複雑となる。
このため、従来一般にはベランダ、バルコニ−等の端部に側溝を形成し、この側溝に防水層部から雨水等を流出せしめた後、排水孔に誘導排出するようにしている。  側溝の形成にあたっては、現場でモルタル等を用いて勾配をつける、あるいは角材、合板等の組み合わせにより勾配を形成する等の方策がとられていたが、この方法は作業者個人の技術に左右されるため作業品質の安定性に欠ける虞がある。
そこで、このような手作業による側溝形成に替えて、あらかじ工場等で水勾配をつけた成形部材を作成し、これらを現場でつなぎ合わせて側溝を所定箇所に形成する工法が多く用いられている。図５は、このような従来工法における側溝構造を示す図である。
図において、１１は端部側溝部材であり、底部１１ａとこの底部１１ａの両端縁に立ち上がる壁部１１ｂ，１１ｂおよび突当部１１ｃとを具えている。２１は傾斜側溝部材で、勾配底部２１ａ、この勾配底部２１ａの両端縁に立ち上がる壁部２１ｂ，２１ｂとを具えている。また、端部側溝部材１１および傾斜側溝部材２１の各壁部の上端には水平フランジ１１ｄ，２１ｃおよびＬ型フランジ１１ｅ，２１ｄがそれぞれ設けられており、不図示の相手方部材を介してベランダ、バルコニ−等の床面あるいは立上部に取り付けられている。なお、３１はベランダ、バルコニ−等の防水層部、４１は同じく立上部である。防水層部３１に連接する側溝の形成は、前述の端部側溝部材１１に傾斜側溝部材２１を通常は複数連結してなされることになる。
例えば、図５に示す端部側溝部材１１の溝の深さ、すなわち壁部１１ｂの高さは２０ｍｍであり、これに連接される傾斜側溝部材２１において壁部２１ｂの始端部（端部側溝部材１１に接する側、図で右側）の高さは２０ｍｍで、終端部（図で左側）では４０ｍｍとなっているから、この傾斜側溝部材２１の終端部の溝深さ４０ｍｍと同一の深さの始端部を有する他の傾斜側溝部材、さらには端部側溝部材を順次連設して所定長さの側溝を形成することになる。
【０００３】
【発明が解決すべき課題】
しかしながら、上述の従来技術には、部品点数の増大に起因すべき多くの不都合がある。
すなわち、形成すべき側溝の長さ、勾配等はベランダ、バルコニ−等の形状、広さにより種々様々であり、これに対応するため多種類の寸法形状の傾斜側溝部材を用意する必要がある。また、排水孔の位置によって前記Ｌ型フランジと水平フランジの形成位置を逆にする必要もあるから、用意すべき側溝部材溝部材の種類はさらに多くなり、煩雑な設計作業、煩雑な施工、多種類の部材に伴う在庫管理の過大な負担、これらに伴うコストの高騰等を強いられることになる。
【０００４】
【発明の概要】
本願発明は、側溝構造を、勾配部と、この勾配部上に設置される側溝本体部と、前記側溝本体部の両側端に形成される一対の折曲・湾曲自在な立ち上がり部とを具えて構成して、上記従来の課題を解決しようとするものである。
そして、上記において、前記勾配部は所定の勾配を有する単位勾配部材を連設して形成するとともに、前記側溝本体部は基部とその両端に形成される壁部を有する側溝部材を１または２以上前記勾配部上に連結載置し、前記一対の折曲・湾曲自在な立ち上がり部は前記側溝部材の両側端に付設される柔軟性を有する樹脂シ−トにより構成することがある。
さらに、上記において、前記単位勾配部材は発泡樹脂材により、前記側溝部材は塩化ビニ−ル被覆鋼板により、また前記折曲・湾曲自在な立ち上がり部は塩化ビニ−ルシ−トによりそれぞれ構成することがある。
さらにまた、上記において、前記一対の折曲・湾曲自在な立ち上がり部は、一体に形成されて前記側溝部材の底部表面を被覆することがある。
また、本願は、基部と、その両端に形成される一対の折曲・湾曲自在な立ち上がり部とを具える側溝部材を提供して、上記従来の課題解決に寄与しようとするものである。
そして、上記側溝部材において、前記基部はその両端に形成される壁部を有し、前記一対の折曲・湾曲自在な立ち上がり部は基部の前記壁部にそれぞれ付設することがある。
また、上記側溝部材において、前記一対の折曲・湾曲自在な立ち上がり部は一体に形成するとともに、基部の底部表面を被覆することがある。
さらに、上記側溝部材において、前記基部は塩化ビニ−ル被覆鋼板で構成し、前記折曲・湾曲自在な立ち上がり部は柔軟性を有する樹脂シ−トで構成することがある。
【０００５】
【発明の実施例】
図面に基ずいて本願発明の実施例を説明する。
図１は、本願に係る側溝構造の１実施例を示す一部切欠斜視図であり、図において、１は後述の側溝部材を複数連結して形成される側溝本体部、２は両側端に形成される一対の折曲・湾曲自在な立ち上がり部、３は後述の単位勾配部材を連結・積層してなる勾配部で、これら側溝本体部１、一対の折曲・湾曲自在な立ち上がり部２および勾配部３により側溝Ａが構成されている。
Ｓはコンクリ−トスラブ、ＰＣはベランダの床面を形成するコンクリ−トパネル、４は合板、５は合板４の上面に貼着された防水層としての塩化ビニ−ルシ−ト、６はベランダ床面の表層を形成する外装材である。
また、７は側溝Ａの側端を処理するための支持部材、８は支持部材７との間に折曲・湾曲自在な立ち上がり部２の一端を挟持する塩化ビニ−ルシ−トである。
そして、一対の折曲・湾曲自在な立ち上がり部２の一方端（図で右方）は、コンクリ−トパネルＰＣの端部に設置された塩ビ被覆鋼板（ブラケット）Ｂ１に係止されていて、これを覆うように前述の防水層としての塩化ビニ−ルシ−ト５が貼着されている。
また、一対の折曲・湾曲自在な立ち上がり部２の他方端（図で左方）は、支持部材７に取り付けられた塩ビ被覆鋼板（ブラケット）Ｂ２に係止されていて、これを覆うように前述の塩化ビニ−ルシ−ト８が貼着されている。  このようにして、一対の折曲・湾曲自在な立ち上がり部２は、側溝Ａのいわば壁面を形成することになる。
【０００６】
図２は、図１における側溝本体部１、折曲・湾曲自在な立ち上がり部２および勾配部３との関連構成を示す斜視図である。勾配部３は、後述の単位勾配部材３ａ，３ｂ，３ｃを連設・積層して条件に合致する所定長さの勾配部３を形成しているが、勿論、このような構成によらず、適宜の支持材を敷設して勾配部を形成してもよい。  なお、図において、２ａ，２ａは折曲・湾曲自在な立ち上がり部２の上端の折返し端部で、前述のように係止ブラケット等の支持係止手段により固定されることになる。
【０００７】
図３（ａ）は、図１、２に示す側溝本体部１を構成する側溝部材９を示す図で、両端に壁部９ｂ，９ｂを一体に有して成る断面コ字形状の長手状部材である基部９ａと、塩化ビニ−ルシ−トからなる折曲・湾曲自在な立ち上がり部２と、から構成されている。そしてこの実施例では、前記基部９ａはいわゆる塩ビ被覆鋼板で形成されている。折曲・湾曲自在な立ち上がり部２は、基部９ａの両端縁にそれぞれ立ち上がり可能なように１対設けられるが、本実施例では一体に形成され、しかも基部９ａの底表面を被覆するように基部９ａに所定の接着手段により貼着されている。なお、図３（ｂ）は、前記とは異なり、一対の折曲・湾曲自在な立ち上がり部２を基部９ａの両端縁に各個に付設した例を示している。
なお、折曲・湾曲自在な立ち上がり部２の立ち上がり可能長さ（図３で垂直部分の長さ）は、形成すべき側溝の深さと前述のブラケット等に係止するために折返す部分とを勘案した長さに設定する。
さらに、当該実施例では、基部９ａは塩ビ被覆鋼板で形成する例を示したが、材質はこれに限られることなく、塗装鋼板、アルミ板、各種のプラスチック材を用いることができる。また、折曲・湾曲自在な立ち上がり部２も、ゴム、ポリエステルその他の柔軟性を有する樹脂材、あるいはアスファルト含浸不織布等の防水機能を有するものを使用することができる。
【０００８】
図４（ａ），（ｂ），（ｃ）はそれぞれ、図２における勾配部３を構成する単位勾配部材３ａ，３ｂ，３ｃを示す斜視図である。これらの単位勾配部材３ａ，３ｂ，３ｃの長さはすべて等しく、単位勾配部材３ａ，３ｂの勾配はあらかじめ定めた所定の傾斜角に設定してあり、スチロ−ル等の発泡樹脂材で形成されている。そして、単位勾配部材３ｂの始端ａの厚さは、単位勾配部材３ａの終端ｂの厚さに等しく設定されている。また、３ｃは傾斜角を有しない平板である。この平板３ｃの厚さと単位勾配部材３ａの始端ａの厚さとの和は、単位勾配部材３ａの終端ｂの厚さに等しくなっている。また、単位勾配部材３ｂの終端ｂと平板３ｃの厚さの和は、単位勾配部材３ａの始端ａと平板３ｃの厚さの２倍との和に等しく設定されてる。このため、これら各種の単位勾配部材を連結・積層することにより、図２に示すように、側溝設置条件に対応した所望の勾配部を形成することができる。
なお、単位勾配部材は図示のように側溝本体部の全長にわたり敷設することなく、点在させてもよい。また、発泡樹脂材の成形、加工は容易であるから、上述のように予め所定の形状寸法の単位勾配部材を準備することなく、施工現場で各種の条件に合わせて加工設置することも可能である。
【０００９】
次に、図１に示す側溝構造の施工手順の概要を説明する。
まず、側溝の設置箇所に単位勾配部材３ａ，３ｂ，３ｃ等を連結・積層することにより、図２に示すような所定長さの勾配部３を形成する。各単位勾配部材のスラブ面への固着は両面接着シ−ト等を使用する。
次いで、図３に示す側溝部材９を１または複数個、前記勾配部３上に連結して側溝本体部１を形成する。なお、勾配部材と側溝部材との固定は前記同様、両面接着シ−トを用いる。図３に示す側溝部材９には、予め折曲・湾曲自在な立ち上がり部としての塩化ビニ−ルシ−ト２が付設されているから、これを垂直方向に展張し、その端部を折返して図１に示すブラケットＢ１，Ｂ２に貼着した後、塩化ビニ−ルシ−ト５、８等を張り合せる。上述において、塩化ビニ−ルシ−ト２を展張してブラケットに対して折返す場合、折返し端部２ａは不整形になるから，図２に示すようにカッタ−等で切り揃えてもよい。
【００１０】
【発明の効果】
以上説明したように、本願発明は、側溝構造を、勾配部と、この勾配部上に設置される側溝本体部と、前記側溝本体部の両側端に形成される一対の折曲・湾曲自在な立ち上がり部と、この立ち上がり部の端部係止手段を具えて構成して、前記勾配部は所定の勾配を有する単位勾配部材を連設して形成するとともに、前記側溝本体部は基部とその両端に形成される壁部を有する側溝部材を１または２以上前記勾配部上に連結載置し、前記一対の折曲・湾曲自在な立ち上がり部は前記側溝部材の両側端に付設される柔軟性を有する樹脂シ−トにより構成したので、特にベランダ、バルコニ−等における側溝の構築にあたり、設計、施工が迅速、容易となり、構成部材の部品点数も少ないため原価コストも低廉である。
また、本願に係るの側溝部材も前述の構成により、ベランダ、バルコニ−等における側溝の構築を極めて容易ならしめる効果を有する。
することがある。
【図面の簡単な説明】
【図１】本願発明に係る側溝構造の１実施例を示す一部切欠斜視図である。
【図２】図１において、側溝本体部１、折曲・湾曲自在な立ち上がり部２および勾配部３との関連構成を示す斜視図である。
【図３】（ａ）折曲・湾曲自在な立ち上がり部を具えた側溝部材の１実施例を示す斜視図である。
【図３】（ｂ）折曲・湾曲自在な立ち上がり部を具えた側溝部材の他の実施例を示す斜視図である。
【図４】（ａ），（ｂ），（ｃ）ともに単位勾配部材の１実施例を示す斜視図である。
【図５】  従来技術を示す一部切欠斜視図である。
【符号の説明】
１                側溝本体部
２                折曲・湾曲自在な立ち上がり部
３                勾配部
３ａ，３ｂ，３ｃ  勾配部材
４                防水層
９                側溝部材
【図１】
0003832944.tif 000002
【図２】
0003832944.tif 000003
【図３】
0003832944.tif 000004
【図４】
0003832944.tif 000005
【図５】
0003832944.tif 000006